(57)【要約】    【課題】  レンズフードを有する双眼鏡のデザインの自由度を高める。    【解決手段】  鏡筒ボディ５０と鏡筒４０との間に、前後方向へ移動可能な左側レンズフード３０を配置した。左側レンズフード３０を双眼鏡本体１０内に収納したとき、左側レンズフード３０の先端部をカバーするフードカバー３０１だけが双眼鏡本体１０から露出する。【選択図】        図３
2006133623.tif 000002
【特許請求の範囲】
【請求項１】
左右の本体筒と、前記左右の本体筒内にそれぞれ収容され、対物レンズを保持する鏡筒と、前記本体筒と前記鏡筒との間に前記対物レンズの光軸方向へ移動可能にレンズフードを収納する収納部とを備えていることを特徴とする双眼鏡。
【請求項２】
前記レンズフードは前記鏡筒の外周面又は前記本体筒の内周面に案内されることを特徴とする請求項１記載の双眼鏡。
【請求項３】
前記本体筒の内周面に、前記レンズフードの後方への移動を規制する本体筒側ストッパ部が設けられ、
前記鏡筒の外周面に、前記レンズフードの前方への移動を規制する本体筒側ストッパ部が設けられていることを特徴とする請求項１〜２のいずれか１項記載の双眼鏡。
【請求項４】
前記レンズフードを前後方向の任意の位置に保持する位置保持手段を備えていることを特徴とする請求項１〜３のいずれか１項記載の双眼鏡。
【請求項５】
前記位置保持手段は前記レンズフードと前記鏡筒との間又は前記レンズフードと前記本体筒との間に摩擦力を生じさせる摩擦部材であることを特徴とする請求項４記載の双眼鏡。
【請求項６】
前記対物レンズと、前記対物レンズと同一光軸上に配置された接眼レンズとの間に、ポロ型プリズムを配置し、左右の前記対物レンズの間隔を左右の前記接眼レンズの間隔より狭くしたことを特徴とする請求項１〜５のいずれか１項記載の双眼鏡。
【発明の詳細な説明】
【技術分野】
【０００１】
この発明は双眼鏡に関し、特に可動型のレンズフードを備えている双眼鏡に関する。
【背景技術】
【０００２】
地上望遠鏡等の分野では、対物レンズの近傍に本体筒内に入り込む光を防いだり、対物レンズを雨滴から防いだりするためにレンズフードを備えた製品が数多くある。
【０００３】
従来技術として、望遠鏡の前後方向へ移動できる可動型のレンズフードを備えた双眼の望遠鏡（以下双眼鏡という）がある（特開平８−１０１３４９号公報参照）。
【０００４】
この双眼鏡は、双眼鏡の外観カバーの外側に設けられ対物レンズを覆うように配置された可動式レンズカバーと、レンズフードの外観カバー上の移動に連動してこのレンズカバーを所定位置に移動させる機構とを備えている。
【特許文献１】特開平８−１０１３４９号公報
【発明の開示】
【発明が解決しようとする課題】
【０００５】
しかし、レンズフードを外観カバーの外側に備える双眼鏡の場合、外観カバーの外面がレンズフードを案内するという機能を有しているので、その機能上外観カバーの形状の自由度（デザインの自由度）が低かった。
【０００６】
この発明はこのような事情に鑑みてなされたもので、その課題はデザインの自由度を高めることができるレンズフードを有する双眼鏡を提供することである。
【課題を解決するための手段】
【０００７】
前述の課題を解決するため請求項１記載の発明は、左右の本体筒と、前記左右の本体筒内にそれぞれ収容され、対物レンズを保持する鏡筒と、前記本体筒と前記鏡筒との間に前記対物レンズの光軸方向へ移動可能にレンズフードを収納する収納部とを備えていることを特徴とする。
【０００８】
請求項２記載の発明は、請求項１記載の双眼鏡において、前記レンズフードは前記鏡筒の外周面又は前記本体筒の内周面に案内されることを特徴とする。
【０００９】
請求項３記載の発明は、請求項１〜２のいずれか１項記載の双眼鏡において、前記本体筒の内周面に、前記レンズフードの後方への移動を規制する本体筒側ストッパ部が設けられ、前記鏡筒の外周面に、前記レンズフードの前方への移動を規制する本体筒側ストッパ部が設けられていることを特徴とする。
【００１０】
請求項４記載の発明は、請求項１〜３のいずれか１項記載の双眼鏡において、前記レンズフードを前後方向の任意の位置に保持する位置保持手段を備えていることを特徴とする。
【００１１】
請求項５記載の発明は、請求項４記載の双眼鏡前記位置保持手段は前記レンズフードと前記鏡筒との間又は前記レンズフードと前記本体筒との間に摩擦力を生じさせる摩擦部材であることを特徴とする。
【００１２】
請求項６記載の発明は、請求項１〜５のいずれか１項記載の双眼鏡において、前記対物レンズと、前記対物レンズと同一光軸上に配置された接眼レンズとの間に、ポロ型プリズムを配置し、左右の前記対物レンズの間隔を左右の前記接眼レンズの間隔より狭くしたことを特徴とする。
【発明の効果】
【００１３】
この発明の双眼鏡によれば、レンズフードを有する双眼鏡のデザインの自由度を高めることができる。
【発明を実施するための最良の形態】
【００１４】
以下この発明の実施の形態を図面に基づいて説明する。
【００１５】
図１はポロプリズム双眼鏡の光学系を説明する概念図である。図１には左側の光学系だけを図示した。また、図１は一般的なポロプリズム双眼鏡を示す図である。このポロプリズム双眼鏡は左右の対物レンズの間隔が左右の接眼レンズの間隔より広いタイプのものである。このポロプリズム双眼鏡と図２以後のポロプリズム双眼鏡とは左右の対物レンズの間隔と左右の接眼レンズの間隔との関係が逆の関係にあり、外観等を異にする。
【００１６】
ポロプリズム双眼鏡では対物レンズ４５と、対物レンズ４５と同一光軸Ｌ上に配置された接眼レンズＥＰとの間に、ポロ型プリズムＰＰが配置されている。
【００１７】
ポロ型プリズムＰＰは直角プリズムＰ１と直角プリズムＰ２とで構成され、対物レンズによって反転した像をもとに戻し、接眼レンズに導く。  
図２はこの発明の第１実施形態に係る双眼鏡の斜視図である。
【００１８】
この双眼鏡はポロプリズム双眼鏡であり、左右の対物レンズ４５の間隔は左右の接眼レンズの間隔より狭い。この双眼鏡は双眼鏡本体１０と右側レンズフード（レンズフード）２０と左側レンズフード（レンズフード）３０とを備えている。
【００１９】
双眼鏡本体１０の外面は外観カバー６０によって覆われている。外観カバー６０には持ち易いように凹凸が形成されている。
【００２０】
後述の右側フードカバー（引出部）２０１を摘んで双眼鏡本体１０の前方へ引っ張ることによって右側レンズフード２０を双眼鏡本体１０から引き出すことができる。
【００２１】
同様に、左側フードカバー（引出部）３０１を摘んで前方へ引っ張ることによって左側レンズフード３０を双眼鏡本体１０から引き出すことができる（図２参照）。
【００２２】
なお、両レンズフード２０，３０の前後方向の最大寸法はポロ型プリズムＰＰ（図１参照）と双眼鏡の対物側先端部の位置によって決まる。レンズフード３０を双眼鏡本体１０に全て押し込んだ際、レンズフード３０の奥側端部がポロ型プリズムＰＰに当接しないようにする。
【００２３】
以下、上記レンズフードの構造について説明するが、右側レンズフード２０と左側レンズフード３０とは同一の構造であるので、以下左側レンズフード３０だけについて説明する。
【００２４】
図３は双眼鏡の左側部分の破断面図であり、図３（ａ）は左側レンズフードが双眼鏡本体内に収納された状態を示す図、図３（ｂ）は左側レンズフードが双眼鏡本体から引き出された状態を示す図である。
【００２５】
双眼鏡本体１０は、フィルタ５と、対物レンズ４５と、対物レンズ４５を保持する鏡筒４０と、鏡筒４０を保持する鏡筒ボディ（本体筒）５０と、ポロプリズムＰＰと、鏡筒ボディ５０の外周面を覆う外観カバー６０とを備える。
【００２６】
対物レンズ４５は鏡筒４０の内周面に形成された段部によって位置決めされ、押え環４６によって固定されている。また、鏡筒４０の前端部の内周面にはフィルタ５が螺合している。鏡筒４０と鏡筒ボディ５０との間の収納部Ｓに左側レンズフード３０が対物レンズ４５の光軸方向へ移動可能に収納される。
【００２７】
左側レンズフード３０の前端部に左側フードカバー３０１が螺合している。左側レンズフード３０の突起部３０９の内周面に形成された溝３０４に位置保持手段としてのフェルト３０３（摩擦部材）が接着材によって貼り付けられている。
【００２８】
左側レンズフード３０は鏡筒４０の外周面４０２に案内されて前後方向へ摺動する。
【００２９】
鏡筒４０の外周面４０２には左側レンズフード３０の前方への移動を規制する本体筒側ストッパ部４０１が設けられている。
【００３０】
また、筐体ボディ５０の内周面には左側レンズフード３０の後方への移動を規制する本体筒側ストッパ部５０１が設けられている。
【００３１】
本体筒側ストッパ部４０１の位置と本体筒側ストッパ部５０１の位置との関係によって左側レンズフード３０の最大引出量が決まる。
【００３２】
左側フードカバー３０１は左側レンズフード３０の前端部の外周面に螺合している。左側フードカバー３０１の後端面は、フード収納時、外観カバー６０の前端面に位置する。
【００３３】
左側レンズフード３０を双眼鏡本体１０内に収納したとき、左側フードカバー３０１が露出する。
【００３４】
このとき、この本体筒側ストッパ部５０１に突起部３０９の後端面３０６を突き当てることによって左側レンズフード３０の過剰な挿入が防止される（図３（ａ）参照）。
【００３５】
左側レンズフード３０を双眼鏡本体１０内から引き出すときは、左側フードカバー３０１の外周部をつかんで前方（図３の左方向）へ引っ張ればよい。このとき、レンズフード３０はフィルタ５に干渉されずに引っ張ることができ、フィルタ５の位置を変えることなくレンズフード３０を双眼鏡本体１０内から引き出すことができる。
【００３６】
このとき、フェルト３０３によって左側レンズフード３０と筐体ボディ５０との間に摩擦力が生じ、自重によって左側レンズフード３０が移動することはない。
【００３７】
本体筒側ストッパ部４０１に左側レンズフード３０の突起部３０９の前端面３０５を突き当てることによって左側レンズフード３０の抜けが防止される（図３（ｂ）参照）。
【００３８】
この実施形態によれば、左側レンズフード３０を双眼鏡本体１０内に収納したとき、左側フードカバー３０１が露出するだけであり（図３（ａ）参照）、外側カバー６０に施したデザインが左側レンズフード３０によって覆われることがないため、双眼鏡の外観の美しさが損なわれることがない。また、鏡筒ボディ５０の外側にレンズフードを配置するより外観カバーの表面積を大きくできるため、デザインを施し得る領域が大きくなり、デザイン（形状）の自由度を高めることができる。更に、フェルト３０３が摩擦部材として機能するため、左側レンズフード３０を好みの位置に保持することができるとともに、自重によって左側レンズフード３０が移動する事態を防止することができる。また、レンズフード３０が双眼鏡本体１０内に収納されるため、親指、人差し指、中指、薬指及び小指を用いて双眼鏡本体１０を保持でき、携帯タイプの双眼鏡であっても双眼鏡全体を確実に保持することができる。
【００３９】
なお、摩擦部材はフェルト３０３に限られるものではなく、摩擦力を生じさせるものであれば例えばゴム、グリス等であってもよい。
【００４０】
図４は第１実施形態の第１変形例に係る双眼鏡の左側部分の破断面図であり、図４（ａ）は左側レンズフードが双眼鏡本体内に収納された状態を示す図、図４（ｂ）は左側レンズフードが双眼鏡本体から引き出された状態を示す図である。第１実施形態と共通する部分には同一符号を付してその説明を省略する。なお、フィルタ５は省略されている。
【００４１】
この第１変形例は、左側レンズフード３０Ａを双眼鏡本体１１に収納したり双眼鏡本体１１から引き出したりするための操作を突起部３０２Ａによって行うようにした点で、第１実施形態と相違する。
【００４２】
突起部３０２Ａは左側レンズフード３０Ａの後端部の外周面に一体に形成されている。外観カバー６０、鏡筒ボディ５１には突起部３０２Ａを前後方向へ案内するガイド溝６５が形成されている。突起部３０２Ａの先端の円弧状部分が外観カバー６０のガイド溝６５から僅かに突出する。
【００４３】
左側レンズフード３０Ａを双眼鏡本体１１に収納するときには、突起部３０２Ａを指Ｆで後方（図４の右方向）へ操作すればよい（図４（ａ）参照）。
【００４４】
また、左側レンズフード３０Ａを双眼鏡本体１１から引き出すときには、突起部３０２Ａを指Ｆで前方（図４の左方向）へ操作すればよい（図４（ｂ）参照）。
【００４５】
この第１変形例によれば、第１実施形態と同様の効果を奏する。また、突起部３０２Ａが外観カバー６０に設けられているので、操作性が一層向上する。更に、レンズフード３０Ａ全体を鏡筒ボディ５１内に収納できるので、デザイン性を低下させることもない。
【００４６】
図５は第１実施形態の第２変形例に係る双眼鏡の左側部分の破断面図であり、図５（ａ）は左側レンズフードが双眼鏡本体内に収納された状態を示す図、図５（ｂ）は左側レンズフードが双眼鏡本体から引き出された状態を示す図である。第１実施形態と共通する部分には同一符号を付してその説明を省略する。
【００４７】
この第２変形例は、双眼鏡本体１２内に収納された左側レンズフード３０Ｂの移動を防止可能なシーソスイッチ３０２Ｂを設けた点で、第１実施形態と相違する。
【００４８】
シーソスイッチ３０２Ｂの操作部３２の形状はほぼ波形であり、外観カバー６０に設けられた支点部３２ａを中心に操作部３２がシーソ動作する。操作部３２の一端には左側レンズフード３０Ｂの後端部の外周面に形成された凹部３０２ａと係合可能な突起部３２ｂが軸３２ｃを介して取り付けられている。
【００４９】
鏡筒ボディ５０の本体筒側ストッパ部５０１と左側レンズフード３０Ｂの後端面３０６との間にはコイルスプリング３３が設けられ、このコイルスプリング３３によって左側レンズフード３０Ｂが前方（図５の左方向）へ常時付勢されている。
【００５０】
コイルスプリング３３の付勢力に抗して左側レンズフード３０Ｂを後方（図５の右方向）へ押し、左側レンズフード３０Ｂを双眼鏡本体１２に収納した後、操作部３２の一端を押し下げて突起部３２ｂを凹部３０２ａに係合させれば左側レンズフード３０Ｂの移動を確実に防止できる。（図５（ａ）参照）。
【００５１】
操作部３２の他端を押し下げたとき、突起部３２ｂと凹部３０２ａとの係合が解除され、コイルスプリング３３の付勢力によって左側レンズフード３０が双眼鏡本体１２から容易に引き出すことができる（図５（ｂ）参照）。
【００５２】
この第２変形例によれば、第１実施形態と同様の効果を奏するとともに、左側レンズフード３０Ｂの移動を確実に防止できる。
【００５３】
図６はこの発明の第２実施形態に係る双眼鏡の破断面図であり、第１実施形態と同一部分には同一符号を付してその説明を省略する。
【００５４】
この実施形態は位置保持手段としてクリック機構を左側レンズフード３１と鏡筒４１との間に設けた点で第１実施形態と相違する。
【００５５】
鏡筒４１の外周面には所定の間隔でクリック溝４１１が設けられている。
【００５６】
左側レンズフード３１の後端部に形成された切欠３１３には左側レンズフード３１に一端を支持された板バネ７０が配置されている。板バネ７０の他端に形成された円弧状のクリック部７０Ａがクリック溝４１１に係合する。
【００５７】
クリック溝４１１と板バネ７０とでクリック機構が構成される。
【００５８】
なお、クリック機構を左側レンズフード３１と鏡筒５０との間に設けてもよい。
【００５９】
また、クリック溝は鏡筒ボディ５０の内周面に設けてもよい。
【００６０】
この実施形態によれば、第１実施形態と同様の効果を奏するとともに、左側レンズフード３１を好みの位置に確実に固定させることができる。
【００６１】
図７（ａ）はこの発明の第３実施形態に係る双眼鏡の左側部分の破断面図、図７（ｂ）は図７（ａ）のｂ−ｂ線に沿う断面図である。なお、第１実施形態と共通する部分には同一符号を付してその説明を省略する。また、図７（ｂ）において、外観カバー６０の図示は省略されている。
【００６２】
この実施形態は、位置保持手段としてのクリック機構を左側レンズフード３２と鏡筒４２との間に設けるとともに、カムネジ４２２をカム溝３２３に沿って相対移動させることで左側レンズフード３２を前後方向へ移動させるようにした点で、第１実施形態と相違する。
【００６３】
鏡筒４２の外周面にはクリック溝４２１が周方向に等間隔で設けられている。
【００６４】
また、左側レンズフード３２の後端部に形成された切欠３２６には板バネ７１が配置されている。板バネ７１の中間に形成された円弧状のクリック部７１Ａがクリック溝４２１に係合する。
【００６５】
クリック溝４２１と板バネ７０とでクリック機構が構成される。
【００６６】
左側レンズフード３２にはカム溝３２３が設けられている。カム溝３２３は左側レンズフード３２の一端から他端へ向かって斜めに延びる。
【００６７】
カム溝３２３には鏡筒４２の前端部に螺合するカムネジ４２２の頭部４２２ａがほぼガタのない状態で係合する。カム溝３２３とカムネジ４２２とによってカム機構が構成される。頭部４２２ａは左側レンズフード３２の回転に伴ってカム溝３２３に沿って始点３２４と終点３２５間を摺動する（図７（ｂ）参照）。
【００６８】
上記カム機構によって、左側レンズフード３２は回転しながら光軸方向（前後方向）に進退駆動される。
【００６９】
カム機構によれば、左側レンズフード３２を回転させない限り左側レンズフード３２が前後方向へ移動しないので、左側レンズフード３２を引き出した状態で対物レンズ側を下にして台上に置いたときであっても双眼鏡本体１３の重量によって左側レンズフード３２の引出量が変化しない。
【００７０】
この実施形態によれば、第１実施形態と同様の効果を奏するとともに、引き出された状態を第１実施形態より確実に維持することができる。
【００７１】
なお、クリック機構を左側レンズフード３２と鏡筒５２との間に設けてもよい。
【００７２】
図８はこの発明の第４実施形態に係る双眼鏡の左側部分の破断面図であり、第１実施形態と共通する部分には同一符号を付してその説明を省略する。
【００７３】
この実施形態は左側レンズフード３３を鏡筒ボディ５３の内周面３０８に案内させるようにした点で第１実施形態と相違する。
【００７４】
双眼鏡本体１４は、対物レンズ４５と、対物レンズ４５を保持する鏡筒４３と、鏡筒４３を保持する鏡筒ボディ５３と、鏡筒ボディ５３の外周面を覆う外観カバー６０とを備える。
【００７５】
対物レンズ４５は鏡筒４３の内周面に形成された段部によって位置決めされ、押え環４６によって固定されている。
【００７６】
鏡筒４３と鏡筒ボディ５３との間に左側レンズフード３３が収納される。
【００７７】
左側レンズフード３３の前端部の内周面には光軸Ｌ方向へ突出する手掛り部３３１（引出部）が形成されている。手掛り部３３１は左側レンズフード３３を引き出すために使用される。
【００７８】
左側レンズフード３３の突起部３３９の内周面に形成された溝３３４にフェルト（摩擦部材）３３３が接着材によって貼り付けられている。突起部３３９は左側レンズフード３３に形成され、内方へ突出する。
【００７９】
このフェルト３３３によって左側レンズフード３３と筐体ボディ５３との間に摩擦力を生じさせ、左側レンズフード３３の自重によって左側レンズフード３３が移動する事態を防止することができる。
【００８０】
左側レンズフード３３はその外周面３３５と接触する鏡筒ボディ５３の内周面５３２に案内されて前後方向へ摺動する。
【００８１】
鏡筒４３の外周面には左側レンズフード３３の前方への移動を規制する本体筒側ストッパ部４３１が設けられている。この本体筒側ストッパ部４３１に左側レンズフード３３の突起部３３９の前端面３３５を突き当てることによって左側レンズフード３３の抜けが防止される。
【００８２】
また、筐体ボディ５３の内周面には左側レンズフード３３の後方への移動を規制する本体筒側ストッパ部５３１が設けられている。この本体筒側ストッパ部５３１に突起部３３９の後端面３３６を突き当てることによって左側レンズフード３３の過剰な挿入が防止される。
【００８３】
本体筒側ストッパ部４３１の位置と本体筒側ストッパ部５３１の位置との関係によって左側レンズフード３３の最大引出量が決まる。
【００８４】
この実施形態によれば、第１実施形態と同様の効果を奏する。
【００８５】
なお、この実施形態に第２実施形態のクリック機構を適用したり、第３実施形態のクリック機構及びカム機構を適用したりしてもよい。上記機構を設けることによって第２、３実施形態と同様の効果を奏することができる。
【００８６】
また、上記各実施形態のように、左右の対物レンズの間隔が左右の接眼レンズの間隔より狭いタイプの双眼鏡に本発明を適用するのが好ましい。このタイプの双眼鏡の場合、対物レンズの周辺の外観カバーの長さや領域が小さく、レンズフードを外観カバーの外周部に設けることが困難である。本発明では外観カバーの内部にレンズフードを収納可能なため、デザインや持ち易さを低下させることなくレンズフードを収納できる。この双眼鏡はポロプリズムを有し、ポロプリズムで分岐された光を左右内方へ屈折させる（図１のようにポロプリズムで分岐された光を左右外方へ屈折させる構成ではない）。
【図面の簡単な説明】
【００８７】
【図１】図１はポロプリズム双眼鏡の光学系を説明する概念図である。
【図２】図２はこの発明の第１実施形態に係る双眼鏡の斜視図である。
【図３】図３は双眼鏡の左側部分の破断面図である。
【図４】図４は第１実施形態の第１変形例に係る双眼鏡の左側部分の破断面図である。
【図５】図５は第１実施形態の第２変形例に係る双眼鏡の左側部分の破断面図である。
【図６】図６はこの発明の第２実施形態に係る双眼鏡の破断面図である。
【図７】図７（ａ）はこの発明の第３実施形態に係る双眼鏡の左側部分の破断面図、図７（ｂ）は図７（ａ）のｂ−ｂ線に沿う断面図である。
【図８】図８はこの発明の第４実施形態に係る双眼鏡の左側部分の破断面図である。
【符号の説明】
【００８８】
３０，３０Ａ，３０Ｂ，３１，３２，３３  左側レンズフード
４０  鏡筒
４５  対物レンズ  
５０，５１，５２，５３  鏡筒ボディ（鏡筒）
７０，７１  板バネ
２０１，３０１  フードカバー（引出部）
３０３  フェルト（位置保持手段）
３０８  内周面
３３１  手掛り部（引出部）
４０１，４３１  本体筒側ストッパ部
４０２  外周面
４１１，４２１  クリック溝
５０１，５３１  本体筒側ストッパ部
ＥＰ  接眼レンズ
ＰＰ  ポロ型プリズム
Ｓ  収納部
【図１】
2006133623.tif 000003
【図２】
2006133623.tif 000004
【図３】
2006133623.tif 000005
【図４】
2006133623.tif 000006
【図５】
2006133623.tif 000007
【図６】
2006133623.tif 000008
【図７】
2006133623.tif 000009
【図８】
2006133623.tif 000010